(57)【要約】【課題】  圧接状態で連結されている関節部分を容易に屈曲・伸展することができると共に、屈曲・伸展状態を安定して保持することができる人形の関節構造を提供する。【解決手段】  人体の上肢又は下肢における関節部位を模した人形における関節の一方側接合部19a と他方側接合部20a とが圧接状態で連結されて一方向へ屈曲できるようになっている関節構造であって、関節の伸展状態においては山裾部24a の上側周端面部22a にドーム型嵌合凹部29a の一方側の逆Ｕ字状側辺部28a が当接すると共に、丸山型嵌合凸部25a の峰状隆起部26a にドーム型嵌合凹部29a の他方側の逆Ｕ字状側辺部28a が当接して圧接状態で固定され、関節の屈曲状態においてはドーム型嵌合凹部29a のＶ溝状係止部31a に丸山型嵌合凸部25a の峰状隆起部26a が係合して圧接状態で係止されるようになっている。【選択図】  図２
2005052393.tif 000002
【特許請求の範囲】
【請求項１】
人体の上肢又は下肢における関節部位を模した人形における関節の一方側接合部19a と他方側接合部20a とが圧接状態で連結されて一方向へ屈曲できるようになっている関節構造であって、一方側接合部19a は前記一方向へ向かって傾斜した切断面21a の縁周端面を該切断面21a の上側周端面部22a から両側周端面部23a ，23a に渡って細幅状に残した山裾部24a と該切断面21a から盛り上がるように形成された丸山型嵌合凸部25a とからなると共に該丸山型嵌合凸部25a には丸山型嵌合凸部25a の山頂近傍を中心として前記一方向に対して略直交するように隆起して走る峰状隆起部26a が形成されており、他方側接合部20a は一方側接合部19a の丸山型嵌合凸部25a を跨いで摺動可能に覆う外形が逆Ｕ字状両側辺部28a ，28a によって烏口型二股形状になったドーム型嵌合凹部29a となっており、該ドーム型嵌合凹部29a の烏口型二股先端面30a ，30a はそれぞれ山裾部24a の両側周端面部23a ，23a に当接して当該烏口型二股先端面30a ，30a を支点として屈曲・伸展できるようになっていると共にドーム型嵌合凹部29a の内壁には丸山型嵌合凸部25a の峰状隆起部26a と係合する前記支点を通る軌跡上を走るＶ溝状係止部31a が所望間隔で少なくとも一溝形成されており、関節の伸展状態においては山裾部24a の上側周端面部22a にドーム型嵌合凹部29a の一方側の逆Ｕ字状側辺部28a が当接すると共に丸山型嵌合凸部25a の峰状隆起部26a にドーム型嵌合凹部29a の他方側の逆Ｕ字状側辺部28a が当接して圧接状態で固定され、関節の屈曲状態においてはドーム型嵌合凹部29a のＶ溝状係止部31a に丸山型嵌合凸部25a の峰状隆起部26a が係合して圧接状態で係止されるようになっていることを特徴とする人形の関節構造。
【請求項２】
丸山型嵌合凸部25a が前記一方向に長軸を位置付けた楕円半球形状に形成されている請求項１記載の人形の関節構造。
【請求項３】
関節の伸展状態における一方側接合部19a と他方側接合部20a とを貫通して内設された弾性部材18によって該一方側接合部19a と他方側接合部20a とが圧接状態で連結されている請求項１又は請求項２記載の人形の関節構造。
【請求項４】
弾性部材18がゴム紐又はコイルスプリングである請求項３記載の人形の関節構造。
【発明の詳細な説明】
【技術分野】
【０００１】
本発明は、人体の上肢又は下肢における関節部位を模した人形の関節構造に関するものである。
【背景技術】
【０００２】
周知の通り、人形の両上肢や両下肢に渡って内部にコイルスプリングやゴム紐等の長尺状弾性体を牽引状態で内設して各関節を屈曲させて人体の姿態に容易に似せることができるようにした人形が汎用されている。
【０００３】
例えば、後出特許文献１には、腕部や脚部にそれぞれ関節を形成して一方の腕部又は脚部から他方の腕部又は脚部へ引張りコイルばねを一連に内設して胴部を挟んで両腕部又は両脚部を牽引して各関節を自在に回動させることができ、手や足に設けられたフックを連結することにより種々のポーズを採ることができると共に、フックの連結解除による内部の反発作用で瞬間的に全体的な復帰作動が起こるようにした人形における腕部、脚部の関節連結装置が開示されている。
【０００４】
また、後出特許文献２には、上腕部分又は腿部分と下腕部分又は脛部分とを球筒体の肘部分又は膝部分を介して弾性紐材の弾発的な牽引によりそれぞれ連結してこの牽引力に抗した屈曲操作により、各関節の屈曲角度等を保持した状態にさせて設定された姿態のままを維持することができる人形が開示されている。
【０００５】
【特許文献１】実開昭６３−１６６２９５号公報
【特許文献２】実用新案登録第３０６８７０３号公報
【発明の開示】
【発明が解決しようとする課題】
【０００６】
しかし、前記人形における腕部、脚部の関節連結装置では、フック同志の連結によって人形のポーズが決定されるので、人が普段とるポーズを任意に選択することができないという問題点やフックの連結を解除すれば、引張りコイルばねの牽引力により曲がった腕部や脚部が瞬時に戻るので、人形の取扱いに危険が伴うという問題点があった。
【０００７】
また、前記人形においては、球筒体の肘部分又は膝部分とこれを包んで当接する上腕部分又は腿部分と下腕部分又は脛部分との球状受け部とが弾性紐材の牽引力により連結されているので、関節の任意の屈曲角度を保持するために、弾性紐材の牽引力によって発生する摩擦抵抗を大きくしなければならないが、弾性紐材の牽引力を強めれば、弾性紐材に負担が掛かって紐材が劣化して破損しやすくなり、強く引っ張られた紐材が切れた場合には、強い力で引っ張られているので、人形の部品が飛散する危険性があるという問題点があった。また、弾性紐材の牽引力に耐え得るためには、人形の耐久性を重視した木材等を使用しなければならず、人の敏感な肌感を表現できないという問題点があった。さらに、人間の姿態に近づけるためには必然的に人形が大きくなるが、大型の人形では各部品が重くなるので、より大きな摩擦抵抗を必要とするから、更に強く引っ張らなければならず、危険度が増すという問題点があった。
【０００８】
そこで、本発明は、圧接状態で連結されている関節部分を容易に屈曲・伸展できると共に、屈曲・伸展状態を安定して保持することができる人形の関節構造を得ることを技術的課題としたものである。
【課題を解決するための手段】
【０００９】
前記技術的課題は、次の通りの本発明によって解決できる。
【００１０】
即ち、本発明に係る人形の関節構造は、人体の上肢又は下肢における関節部位を模した人形における関節の一方側接合部19a （19b ）と他方側接合部20a （20b ）とが圧接状態で連結されて一方向へ屈曲できるようになっている関節構造であって、一方側接合部19a （19b ）は前記一方向へ向かって傾斜した切断面21a （21b ）の縁周端面を該切断面21a （21b ）の上側周端面部22a （22b ）から両側周端面部23a ，23a （23b ，23b ）に渡って細幅状に残した山裾部24a （24b ）と該切断面21a （21b ）から盛り上がるように形成された丸山型嵌合凸部25a （25b ）とからなると共に該丸山型嵌合凸部25a （25b ）には丸山型嵌合凸部25a （25b ）の山頂近傍を中心として前記一方向に対して略直交するように隆起して走る峰状隆起部26a （26b ）が形成されており、他方側接合部20a （20b ）は一方側接合部19a （19b ）の丸山型嵌合凸部25a （25b ）を跨いで摺動可能に覆う外形が逆Ｕ字状両側辺部28a ，28a （28b ，28b ）によって烏口型二股形状になったドーム型嵌合凹部29a （29b ）となっており、該ドーム型嵌合凹部29a （29b ）の烏口型二股先端面30a ，30a （30b ，30b ）はそれぞれ山裾部24a （24b ）の両側周端面部23a ，23a （23b ，23b ）に当接して当該烏口型二股先端面30a ，30a （30b ，30b ）を支点として屈曲・伸展できるようになっていると共にドーム型嵌合凹部29a （29b ）の内壁には丸山型嵌合凸部25a （25b ）の峰状隆起部26a （26b ）と係合する前記支点を通る軌跡上を走るＶ溝状係止部31a （31b ）が所望間隔で少なくとも一溝形成されており、関節の伸展状態においては山裾部24a （24b ）の上側周端面部22a （22b ）にドーム型嵌合凹部29a （29b ）の一方側の逆Ｕ字状側辺部28a （28b ）が当接すると共に丸山型嵌合凸部25a （25b ）の峰状隆起部26a （26b ）にドーム型嵌合凹部29a （29b ）の他方側の逆Ｕ字状側辺部28a （28b ）が当接して圧接状態で固定され、関節の屈曲状態においてはドーム型嵌合凹部29a （29b ）のＶ溝状係止部31a （31b ）に丸山型嵌合凸部25a （25b ）の峰状隆起部26a （26b ）が係合して圧接状態で係止されるようになっているものである。
【００１１】
また、本発明は、前記人形の関節構造において、丸山型嵌合凸部25a （25b ）が前記一方向に長軸を位置付けた楕円半球形状に形成されているものである。
【００１２】
また、本発明は、前記いずれかの人形の関節構造において、関節の伸展状態における一方側接合部19a （19b ）と他方側接合部20a （20b ）とを貫通して内設された弾性部材18によって一方側接合部19a （19b ）と他方側接合部20a （20b ）とを圧接状態で連結するようにしたものである。
【００１３】
さらに、本発明は、前記人形の関節構造において、弾性部材18をゴム紐又はコイルスプリングとしたものである。
【発明の効果】
【００１４】
本発明によれば、圧接状態で連結されている関節部分を容易に屈曲・伸展することができると共に、屈曲・伸展状態を安定して保持することができる人形の関節構造を提供することができる。
【００１５】
従って、本発明の産業上利用性は非常に高いといえる。
【発明を実施するための最良の形態】
【００１６】
以下、本発明の実施の形態を図面に基づき説明する。
【００１７】
実施の形態１．
【００１８】
図１は本発明の実施の形態に係る人形の関節構造を備えた人形を示す斜視図、図２は本実施の形態に係る人形の関節構造を示す斜視図であり、左下肢の関節構造が図示されている。図３は図１に図示する人形の左下肢を示す正面図、図４は図１に図示する人形の左下肢を示す右側面図、図５は図１に図示する人形の左下肢を示す背面図、図６〜図１０は図２に図示する関節構造の屈曲・伸展状態を説明する縦断面図であり、図６は伸展状態における人形の関節構造を表し、図７〜図１０は屈曲状態における人形の関節構造を表している。これらの図において、１は、首に当たる位置が後出ゴム紐が通る程に開口している中空の頭部２と、首部位の先端部と上肢のつけ根に当たる位置とが同じくゴム紐が通る程に開口していると共に、下端部が同じくゴム紐が通る程に開口している中空の首付き胸部３と、両端部がゴム紐が通る程に開口している中空の左右上腕部4a，4b及び中空の左右下腕部5a，5bと、左右手部6a，6bと、先端部と下肢のつけ根に当たる位置とがゴム紐が通る程に開口している中空の胴部７と、両端部がゴム紐が通る程に開口している中空の左右大腿部8a，8b及び中空の左右下腿部9a，9bと、左右足部10a ，10b と、前記上腕部4a，4bの先端部に形成されたお碗状の凹部と前記下腕部5a，5bの元端部に形成されたお碗状の凹部とに摺動可能に嵌められて前記上腕部4a，4bと前記下腕部5a，5bとを連結する、軸心に沿ってゴム紐が通る程に上下に開口した中空の左右球状肘関節部11a ，11b と、前記下腕部5a，5bの先端部に形成されたお碗状の凹部と前記手部6a，6bの手首に当たる位置に形成されたお碗状の凹部とに摺動可能に嵌められて前記下腕部5a，5bと前記手部6a，6bとを連結する左右球状手首関節部12a ，12b と、前記下腿部9a，9bの先端部に形成されたお碗状の凹部と前記足部10a ，10b の足首に当たる位置に形成されたお碗状の凹部とに摺動可能に嵌められて前記下腿部9a，9bと前記足部10a ，10b とを連結する左右球状足首関節部13a ，13b とから構成されていて、両手首関節部12a ，12b に設けられた鉤状掛け具14，14に固定されて胸部３を介して両上肢内を貫通して掛け渡された上肢用ゴム紐15により両上肢が胸部３の上肢つけ根に当たる位置に形成されたお碗状の凹部に摺動可能に圧接状態で連結されていると共に、両足首関節部13a ，13b に設けられた鉤状掛け具16，16に固定されて頭部２に内設されたＳ字鉤状掛け具17を介して胸部３及び胴部７内と両下肢内とを貫通して掛け渡された下肢用ゴム紐18により両下肢が胴部７の下肢つけ根に当たる位置に形成されたお碗状の凹部に摺動可能に圧接状態で連結されている人形である。
【００１９】
そして、図２〜図５に示すように、大腿部8a，8bと下腿部9a，9bとが前記下肢用ゴム紐18により圧接状態で連結される下腿部9a，9bの元端部（一方側接合部）19a ，19b と大腿部8a，8bの先端部（他方側接合部）20a ，20b とからなる膝関節における該元端部19a ，19b は、人体の下肢における屈曲方向（一方向）と同じ方向（屈曲方向）へ向かって傾斜した切断面21a ，21b （図４参照）の縁周端面を該切断面21a ，21b の上側周端面部22a ，22b から両側周端面部23a ，23a 、23b ，23b に渡って細幅状に残した山裾部24a ，24b と、前記屈曲方向に長軸を位置付けて切断面21a ，21b から楕円半球形状に盛り上がるように形成された丸山型嵌合凸部25a ，25b とからなり、該丸山型嵌合凸部25a ，25b には、傾斜した前記切断面21a ，21b を水平面にした場合における頂上に位置する丸山型嵌合凸部25a ，25b の山頂近傍を中心として前記屈曲方向に対して略直交するように隆起して走る峰状隆起部26a ，26b が形成されていると共に、当該山頂を含む楕円長軸軌跡上に長楕円状に形成されたゴム紐通過用開口部27a ，27b が設けられている。
【００２０】
前記膝関節における大腿部8a，8bの前記先端部20a ，20b は、前記丸山型嵌合凸部25a ，25b を跨いで摺動可能に覆う、外形が人形１の前面側と後面側とに当たる位置に形成された逆Ｕ字状両側辺部28a ，28a 、28b ，28b によって烏口型二股形状になったドーム型嵌合凹部29a ，29b となっており、ドーム型嵌合凹部29a ，29b の烏口型二股先端面30a ，30a 、30b ，30b はそれぞれ山裾部24a ，24b の両側周端面部23a ，23a 、23b ，23b に当接して当該烏口型二股先端面30a ，30a 、30b ，30b を支点として屈曲・伸展できるようになっている。また、ドーム型嵌合凹部29a ，29b の内壁には、前記両支点を通る軌跡上を走るＶ溝状係止部31a ，31b が該両支点まで届かない長さの略等間隔で段差状に四溝形成されており、各Ｖ溝状係止部31a ，31b に丸山型嵌合凸部25a ，25b の峰状隆起部26a ，26b が係合するように設けられている。
【００２１】
次に、図６〜図１０に図示する左下肢の膝関節を参照して本実施の形態に係る人形１の関節構造の動作について説明する。
【００２２】
関節の伸展においては、図６に示すように、山裾部24a の上側周端面部22a にドーム型嵌合凹部29a の前面側逆Ｕ字状側辺部28a を当接させると共に、丸山型嵌合凸部25a の峰状隆起部26a にドーム型嵌合凹部29a の後面側逆Ｕ字状側辺部28a を噛み合うように当接させて膝関節における下腿部9aの元端部19a と大腿部8aの先端部20a とを圧接状態で固定する。これにより、関節の伸展状態を保持するためにドーム型嵌合凹部29a と丸山型嵌合凸部25a との摩擦力を必要とせず、弱い牽引力で下腿部9aの元端部19a と大腿部8aの先端部20a との圧接状態を維持することができ、人形１に立った姿勢を採らせることができる。
【００２３】
膝関節を屈曲状態にするには、ゴム紐18の弾発的な牽引力に抗して大腿部8aを図６に示す矢印Ａ方向へ引っ張り、ドーム型嵌合凹部29a の後面側逆Ｕ字状側辺部28a を丸山型嵌合凸部25a の峰状隆起部26a に乗り上げて離せば、大腿部8aがゴム紐18の牽引力によって烏口型二股先端面30a ，30a を支点として矢印Ｂ方向へ回転する。これにより、峰状隆起部26a がドーム型嵌合凹部29a を摺動して矢印Ｂ方向へ移動し、図７に示すように、最初のＶ溝状係止部31a に係合して圧接状態で係止される。
【００２４】
また、図７に示す膝関節の屈曲状態から、同様に大腿部8aを図６に示す矢印Ａ方向へ引っ張り上げて最初のＶ溝状係止部31a から峰状隆起部26a を放して烏口型二股先端面30a ，30a を支点として図７に示す矢印Ｂ方向へ移動させて離せば、大腿部8aがゴム紐18の牽引力によって烏口型二股先端面30a ，30a を支点として矢印Ｂ方向へ回転する。これにより、峰状隆起部26a がドーム型嵌合凹部29a を摺動して矢印Ｂ方向へ移動し、図８に示すように、第二のＶ溝状係止部31a に係合して圧接状態で係止され、ゴム紐18の牽引力によって図７に示す屈曲状態より鋭角の屈曲状態が保持される。
【００２５】
また、第三のＶ溝状係止部31a においても、同様に、峰状隆起部26a が係合して下腿部9aの元端部19a と大腿部8aの先端部20a とが圧接状態で係止され、ゴム紐18の牽引力によって図８に示す屈曲状態より鋭角の屈曲状態が保持される（図９参照）。
【００２６】
さらに、図９に示す膝関節の屈曲状態から、大腿部8aを図６に示す矢印Ａ方向へ引っ張り上げて第三のＶ溝状係止部31a から峰状隆起部26a を放して烏口型二股先端面30a ，30a を支点として図９に示す矢印Ｂ方向へ移動させて離せば、大腿部8aがゴム紐18の牽引力によって烏口型二股先端面30a ，30a を支点として矢印Ｂ方向へ回転する。これにより、峰状隆起部26a がドーム型嵌合凹部29a を摺動して矢印Ｂ方向へ移動し、図１０に示すように、第四のＶ溝状係止部31a に係合して圧接状態で係止されると共に、山裾部24a の下側に当たる下側周端面部32a にドーム型嵌合凹部29a の後面側逆Ｕ字状側辺部28a が当接し、ゴム紐18の牽引力によって図９に示す屈曲状態より更に鋭角の屈曲状態が保持される。従って、関節の屈曲状態を保持するためにドーム型嵌合凹部29a と丸山型嵌合凸部25a との摩擦力を必要とせず、弱い牽引力で下腿部9aの元端部19a と大腿部8aの先端部20a との接合状態を維持することができ、人形１に膝を曲げた姿勢を採らせることができる。
【００２７】
本実施の形態では、下腿部9a（9b）の元端部19a （19b ）と大腿部8a（8b）の先端部20a （20b ）とを圧接状態で摺動可能に凹凸接合させて大腿部8a（8b）の先端部20a （20b ）に膝関節の屈曲方向において回動させるための烏口型二股先端面30a ，30a （30b ，30b ）の支点を設け、該支点を中心として回動させることにより屈曲・伸展動作させ、当該接合部に更に伸展状態と屈曲状態とを保持することができる凸部と該凸部に係合する凹部とを設けた関節構造としたので、圧接状態で連結されている膝関節を容易に屈曲・伸展することができると共に、弱い牽引力でも屈曲・伸展状態を安定して保持することができるから、女性でも安全に取り扱うことができる。さらに、ゴム紐18の牽引力を弱くすることができるから、人形１を形成する素材の肉厚を薄く、軽量にすることができ、強度の弱い素材を使用することができる。
【００２８】
なお、人形１の外装部材及び関節部材には、ウレタン樹脂、ポリ塩化ビニール樹脂、ＡＢＳ樹脂、ポリカ−ボネート樹脂、ポリプロピレン樹脂、スチロール樹脂、ポリスチレン樹脂及びＦＲＰ樹脂等の樹脂材料を使用することができる。
【００２９】
実施の形態２．
【００３０】
本実施の形態は前記実施の形態１における膝関節の変形例であり、図１１は人形の右下肢を示す右側面図であり、大腿部の先端部は縦断面にて示されている。図１２は図１１に図示する右下肢の背面図である。図１１及び図１２において、図１〜図１０と同一符号は同一又は相当部分を示す。
【００３１】
本実施の形態における下腿部9b（9a）の元端部19b （19a ）と大腿部8b（8a）の先端部20b （20a ）とからなる膝関節は、下腿部9b（9a）と大腿部8b（8a）とにコイルスプリング33が通過できる程度の筒状空洞部34b ，35b （34a ，35a ）を下腿部9b（9a）の元端部19b （19a ）と大腿部8b（8a）の先端部20b （20a ）とを連通するように形成して該筒状空洞部34b ，35b （34a ，35a ）にコイルスプリング33を内設して両端をそれぞれ下腿部9b（9a）内と大腿部8b（8a）内とに固定し、大腿部8b（8a）と下腿部9b（9a）とをコイルスプリング33により圧接状態で連結されている関節構造となっている。そして、山裾部24b （24a ）は上側周端面部22b （22a ）から両側周端面部23b ，23b （23a ，23a ）に渡って形成されており、実施の形態１における下側周端面部32b （32a ）は形成されておらず、Ｖ溝状係止部31b （31a ）はドーム型嵌合凹部29b （29a ）の略中央位置に一溝だけ形成されている。
【００３２】
本実施の形態に係る人形の関節構造においても、実施の形態１と同様の作用・効果を奏することができる。
【００３３】
なお、大腿部8a，8bの先端部20a ，20b に丸山型嵌合凸部25a ，25b を形成し、下腿部9a，9bの元端部19a ，19b にドーム型嵌合凹部29a ，29b を形成してもよく、人形１の肘関節、手首関節或いは足首関節も膝関節と同様の関節構造としてもよい。さらに、丸山型嵌合凸部25a ，25b の形状を半球状としてもよい。
【産業上の利用可能性】
【００３４】
本発明は、関節を容易に屈曲・伸展することができると共に、弱い牽引力でも屈曲・伸展状態を安定して保持することができるから、容易に関節を屈曲させて人体の姿態に似せることができると共に、安全に取り扱うことができる人体の上肢又は下肢における関節部位を模した人形に利用できる。
【図面の簡単な説明】
【００３５】
【図１】本発明の実施の形態に係る人形の関節構造を備えた人形を示す斜視図である。
【図２】本実施の形態に係る人形の関節構造を示す斜視図である。
【図３】図１に図示する人形の左下肢を示す正面図である。
【図４】図１に図示する人形の左下肢を示す右側面図である。
【図５】図１に図示する人形の左下肢を示す背面図である。
【図６】図２に図示する関節構造の屈曲・伸展状態を説明する縦断面図である。
【図７】図２に図示する関節構造の屈曲・伸展状態を説明する縦断面図である。
【図８】図２に図示する関節構造の屈曲・伸展状態を説明する縦断面図である。
【図９】図２に図示する関節構造の屈曲・伸展状態を説明する縦断面図である。
【図１０】図２に図示する関節構造の屈曲・伸展状態を説明する縦断面図である。
【図１１】人形の右下肢を示す右側面図である。
【図１２】図１１に図示する右下肢の背面図である。
【符号の説明】
【００３６】
１  人形
２  頭部
３  胸部
４ａ  左上腕部
４ｂ  右上腕部
５ａ  左下腕部
５ｂ  右下腕部
６ａ  左手部
６ｂ  右手部
７    胴部
８ａ  左大腿部
８ｂ  右大腿部
９ａ  左下腿部
９ｂ  右下腿部
１０ａ  左足部
１０ｂ  右足部
１１ａ  左肘関節部
１１ｂ  右肘関節部
１２ａ  左手首関節部
１２ｂ  右手首関節部
１３ａ  左足首関節部
１３ｂ  右足首関節部
１４，１６  鉤状掛け具
１５  上肢用ゴム紐
１７  Ｓ字鉤状掛け具
１８  下肢用ゴム紐
１９ａ  左下腿部元端部
１９ｂ  右下腿部元端部
２０ａ  左大腿部先端部
２０ｂ  右大腿部先端部
２１ａ  左切断部
２１ｂ  右切断部
２２ａ  左上側周端面部
２２ｂ  右上側周端面部
２３ａ  左両側周端面部
２３ｂ  右両側周端面部
２４ａ  左山裾部
２４ｂ  右山裾部
２５ａ  左丸山型嵌合凸部
２５ｂ  右丸山型嵌合凸部
２６ａ  左峰状隆起部
２６ｂ  右峰状隆起部
２７ａ  左ゴム紐通過用開口部
２７ｂ  右ゴム紐通過用開口部
２８ａ  左逆Ｕ字状両側辺部
２８ｂ  右逆Ｕ字状両側辺部
２９ａ  左ドーム型嵌合凹部
２９ｂ  右ドーム型嵌合凹部
３０ａ  左烏口型二股先端面
３０ｂ  右烏口型二股先端面
３１ａ  左Ｖ溝状係止部
３１ｂ  右Ｖ溝状係止部
３２ａ  左下側周端面部
３２ｂ  右下側周端面部
３３  コイルスプリング
３４ａ（３５ａ）  左筒状空洞部
３４ｂ（３５ｂ）  右筒状空洞部
【図１】
2005052393.tif 000003
【図２】
2005052393.tif 000004
【図３】
2005052393.tif 000005
【図４】
2005052393.tif 000006
【図５】
2005052393.tif 000007
【図６】
2005052393.tif 000008
【図７】
2005052393.tif 000009
【図８】
2005052393.tif 000010
【図９】
2005052393.tif 000011
【図１０】
2005052393.tif 000012
【図１１】
2005052393.tif 000013
【図１２】
2005052393.tif 000014
【手続補正書】
【提出日】平成15年8月12日(2003.8.12)
【手続補正１】
【補正対象書類名】図面
【補正対象項目名】図２
【補正方法】変更
【補正の内容】
【図２】
2005052393.tif 000015